(57)【要約】      （修正有）【課題】電気精密機器の分解、組立時においても使用出来る、電子部品の静電破損防止用工具を提供する。【解決手段】取っ手部１と芯棒部２とから成る工具において、前記芯棒部の係合部３を残して、１０６〜１０９Ωの表面抵抗率を有しかつ１０４〜１０９Ω・ｃｍの体積抵抗率を有しかつ１０４〜１０９Ω・ｃｍの体積抵抗率を有する（半導電性）熱収縮性カバー４により密着被覆し、（半導電性）熱収縮性カバーの内周には半導電性接着剤４１を塗布した。【選択図】  図１
2005028464.tif 000002
【特許請求の範囲】
【請求項１】
把手部と作業部とから成る工具において、前記作業部の先端部分を除いて、１０６〜１０９Ωの表面抵抗率を有しかつ１０４〜１０９Ω・ｃｍの体積抵抗率を有する半導電性熱収縮性プラスチックにより密着被覆されていることを特徴とする静電気放電ショック防止工具カバー。
【請求項２】
半導電性熱収縮性プラスチックの内周に、１０６〜１０９Ωの表面抵抗率を有しかつ１０４〜１０９Ω・ｃｍの体積抵抗率を有する半導電性接着剤が塗布されていることを特徴とする請求項１に記載の静電気放電ショック防止工具カバー。
【請求項３】
半導電性熱収縮性プラスチックが、太さ方向及び長さ方向は形状記憶により除去可能のものであることを特徴とする請求項１又は請求項２に記載の静電気放電ショック防止工具カバー。
【請求項４】
半導電性接着剤が、接着部分が回転方向によって強くなり、引っ張り方向に対して外れるようなものであることを特徴とする請求項２又は請求項３に記載の静電気放電ショック防止工具カバー。
【請求項５】
先端にねじとの係合部を有する芯棒部とこの芯棒部を内部に挿通して固定している把手部とを有するドライバーにおいて、前記芯棒部の係合部を除いて、１０６〜１０９Ωの表面抵抗率を有しかつ１０４〜１０９Ω・ｃｍの体積抵抗率を有する半導電性熱収縮性プラスチックにより密着被覆されていることを特徴とする静電気放電ショック防止ドライバー。
【請求項６】
先端にねじとの係合部を有する芯棒部とこの芯棒部を内部に挿通して固定している把手部とを有するドライバーにおいて、前記把手部が１０６〜１０９Ωの表面抵抗率を有しかつ１０４〜１０９Ω・ｃｍの体積抵抗率を有する半導電性熱収縮性プラスチックにより密着被覆されていることを特徴とする静電気放電ショック防止ドライバー。
【請求項７】
半導電性熱収縮性プラスチックの内周に、１０６〜１０９Ωの表面抵抗率を有しかつ１０４〜１０９Ω・ｃｍの体積抵抗率を有する半導電性接着剤が塗布されていることを特徴とする請求項５又は請求項６に記載の静電気放電ショック防止ドライバー。
【請求項８】
半導電性熱収縮性プラスチックが、太さ方向及び長さ方向は形状記憶により除去可能のものであることを特徴とする請求項５又は請求項６又は請求項７に記載の静電気放電ショック防止ドライバー。
【請求項９】
半導電性接着剤が、接着部分が回転方向によって強くなり、引っ張り方向に対して外れるようなものであることを特徴とする請求項７又は請求項８に記載の静電気放電ショック防止ドライバー。
【発明の詳細な説明】
【０００１】
【発明の属する技術分野】
本発明は、電子精密機器（例えば、コンピュータ機器）の分解、組立、保守作業時に、静電気の高電圧により該電子精密機器の構成部品（例えば、ＬＳＩ等の論理回路）が破損するのを防止できる静電気放電ショック防止工具カバーに関する。
対象となる工具は、一般的にはドライバー、ペンチ、プライヤー、レンチ等であるが、これらに限らず、静電気の高電圧により破損するような構成部品の分解、組立、保守作業等に使用される静電気防止対策を講ずる必要のある全ての工具を含む。
【０００２】
【従来の技術】
コンピュータ機器は年々精密化が進み、且つ多くの電子部品にＬＳＩ等の論理回路が実装されるようになってきており、例えば保守作業時の人体に蓄積された静電気の対策は益々重要になってきている。
通常コンピュータ機器は一定の静電気ノイズの耐圧規格をクリアしているが、これは通常使用時を想定したものであり、保守作業においてはカバーを開けた時点で規格値を満足しなくなる。
【０００３】
そのため静電靴やリストバンド（リストストラップ）により機器に対する人体に蓄積された静電気の放電は防止できるが（例えば、特許文献１参照）、作業中に万一リストバンドの外れ等が起きた時には、静電気の放電を起こして電子部品を静電破損してしまうことになる。
また例えば、静電気の放電を防止するために、ドライバーの把手部に塗料を塗ったものがあるが、長期に亘る使用により塗料が剥がれて、使用に耐えなくなる。
【０００４】
【特許文献１】
特開２０００−２６２３０３号公報
【０００５】
【発明が解決しようとする課題】
本発明では、このような時でもフェイルセーフ的に安全な保守作業を行える静電破損防止用の工具を提供することを目的とする。
勿論この工具は、静電破損防止のために、電子精密機器の分解、組立時においても使用できるものである。
【０００６】
【課題を解決するための手段】
上記目的を達成するために、本発明は概略的には従来から使用されているドライバー、ペンチ、プライヤー、レンチ等の工具に、その作業部の先端部分を残して、１０６〜１０９Ωの表面抵抗率を有しかつ１０４〜１０９Ω・ｃｍの体積抵抗率を有する半導電性熱収縮性プラスチックにより被覆したものであり、具体的には次の通りである。
【０００７】
即ち本発明の静電気放電ショック防止工具カバーは、把手部と作業部とから成る工具において、前記作業部の先端部分を除いて、１０６〜１０９Ωの表面抵抗率を有しかつ１０４〜１０９Ω・ｃｍの体積抵抗率を有する半導電性熱収縮性プラスチックにより密着被覆されている。
【０００８】
また上記において、半導電性熱収縮性プラスチックの内周には、１０６〜１０９Ωの表面抵抗率を有しかつ１０４〜１０９Ω・ｃｍの体積抵抗率を有する半導電性接着剤が塗布されている。
【０００９】
また上記の半導電性熱収縮性プラスチックが、径方向にのみ収縮し、太さ方向及び長さ方向は形状記憶により除去可能のものである。
【００１０】
また上記の半導電性接着剤が、接着部分が回転方向によって強くなり、引っ張り方向に対して外れるようなものである。
【００１１】
さらに本発明の静電気放電ショック防止ドライバーは、先端にねじとの係合部を有する芯棒部とこの芯棒部を内部に挿通して固定している把手部とを有し、前記芯棒部の係合部を除いて、１０６〜１０９Ωの表面抵抗率を有しかつ１０４〜１０９Ω・ｃｍの体積抵抗率を有する半導電性熱収縮性プラスチックにより密着被覆されている。
【００１２】
また本発明の静電気放電ショック防止ドライバーは、先端にねじとの係合部を有する芯棒部とこの芯棒部を内部に挿通して固定している把手部とを有し、前記把手部が１０６〜１０９Ωの表面抵抗率を有しかつ１０４〜１０９Ω・ｃｍの体積抵抗率を有する半導電性熱収縮性プラスチックにより密着被覆されている。
【００１３】
また上記のドライバーにおいて、半導電性熱収縮性プラスチックの内周に、１０６〜１０９Ωの表面抵抗率を有しかつ１０４〜１０９Ω・ｃｍの体積抵抗率を有する半導電性接着剤が塗布されている。
【００１４】
また上記の半導電性熱収縮性プラスチックが、径方向にのみ収縮し、太さ方向及び長さ方向は形状記憶により除去可能のものである。
【００１５】
また上記の半導電性接着剤が、接着部分が回転方向によって強くなり、引っ張り方向に対して外れるようなものである。
【００１６】
【発明の実施の形態】
本発明の実施の形態を実施例のドライバーについて図面を参照して説明する。
図１は、ドライバーと半導電性熱収縮性カバーの横断面図を示す。
図において、１はドライバーの把手部、２はその芯棒部（作業部）、３はねじとの係合部、４はドライバーの把手部１と芯棒部２の先端の係合部を除いた周囲を被覆するための半導電性熱収縮性カバーであり、１０６〜１０９Ωの表面抵抗率を有しかつ１０４〜１０９Ω・ｃｍの体積抵抗率を有する半導電性プラスチックにより形成されている。
【００１７】
図２は、加熱により半導電性熱収縮性カバーが密着被覆されたドライバーの横断面図を示す。
半導電性熱収縮性カバーの内周には予め、１０６〜１０９Ωの表面抵抗率を有しかつ１０４〜１０９Ω・ｃｍの体積抵抗率を有する半導電性接着剤が塗布されているので、半導電性熱収縮性カバーは加熱により、ドライバーに完全に密着被覆される。
【００１８】
上記の半導電性熱収縮性カバーは、径方向にのみ収縮し、太さ方向及び長さ方向は形状記憶により除去可能のものが望ましく、これには例えばポリオレフィン、フッ素系ポリマー、熱可塑性エラストマーなどの材質を原料としたものがあるが、これに限るものではない。
【００１９】
また半導電性接着剤は、接着部分が回転方向によって強くなり、引っ張り方向に対して外れるようなものが望ましく、これには例えばポリオレフィン、フッ素系ポリマー、熱可塑性エラストマーなどの材質を原料としたものがあるが、これに限るものではない。
【００２０】
半導電性熱収縮性カバーにより密着被覆されたドライバーを、作業者（人体）に蓄積された静電気の高電圧により静電破損を受けやすい電子部品等の組立、分解、保守作業に使用する場合、ドライバーの先端係合部が電子部品等に接触しても、ドライバーの周囲が、１０６〜１０９Ωの表面抵抗率を有しかつ１０４〜１０９Ω・ｃｍの体積抵抗率を有する半導電性熱収縮性カバーにより密着被覆されているので、作業者（人体）に帯電した静電気が一気に放電せずに徐々に放電するようになるので、電子部品等が静電破損を受けることがない。
【００２１】
【発明の効果】
本発明によれば、作業者（人体）に蓄積された静電気の高電圧により静電破損を受けやすい電子部品等の組立、分解、保守作業に使用する場合、ドライバーの先端係合部が電子部品等に接触したとしても、放電を発生せず、また発生しても徐々に放電するので、電子部品等を静電破損させることがない。
【図面の簡単な説明】
【図１】ドライバーと半導電性熱収縮性カバーの横断面図。
【図２】加熱により半導電性熱収縮性カバーが密着被覆されたドライバーの横断面図。
【符号の説明】
１  ドライバーの把手部
２  芯棒部
３  係合部
４  半導電性熱収縮性カバー
【図１】
2005028464.tif 000003
【図２】
2005028464.tif 000004